(57)【特許請求の範囲】
【請求項１】
扉の上端部の吊持部に装着したハンガ−ロ−ラ−が建物開口部の上方に設けたハンガ−レ−ルを転動して建物開口部を開閉するようにした引戸において、前記吊持部の少なくとも一つには前記ロ−ラ−の上方に位置して扉の開閉方向に揺動する揺動体を設け、前記揺動体には常時外周面を前記ロ−ラ−の外周面に摺接してなる弾性回転体を設け、前記ロ−ラ−の上方に所定間隔を存して定置部材を設けてロ−ラ−と定置部材との間に弾性回転体を挾持して扉を停止させるに、前記揺動体には上方に延出する案内棒を設け、開口部上方の所望部位には前記案内棒を案内する案内面を突設し、扉の開口部全閉状態からの移動開放に際し、前記案内棒が案内面に当接して揺動体を強制的に戸先側に揺動させ、弾性回転体の外周面をロ−ラ−の外周面より離隔させるようにしたことを特徴とする停止装置を有する引戸。
【発明の詳細な説明】
【０００１】
【発明の属する技術分野】
本発明は、任意の位置で開放状態を保持することができる引戸に関するものである。
【０００２】
【従来の技術】
建物開口部の上方に設けたハンガ−レ−ルを、扉の上端部の吊持部に設けたハンガ−ロ−ラ−が転動して建物開口部を開閉するようにした引戸において、通風等の理由から引戸を任意の位置で停止させて、かかる開放状態を保持したい場合がある。
【０００３】
引戸を任意の位置で停止させるようにした停止装置としては、特開平６−２９４２４９号に開示されている。このものは、振子状のガイド装置によって揺動される弾性回転体が車輪と圧縮用定置部材との間に噛み込むことで車輪の回転を停止させ、もって扉の停止状態を維持するようにしたものであり、また、扉を反対方向に移動させるには、弾性回転体が定置部材と車輪との間に噛み込んだ状態から、さらに車輪と定置部材との間を乗り越える必要がある。
【０００４】
建物開口部の全閉時には、ガイド装置は戸先側に揺動しており、弾性回転体は開放方向に噛み込んだ状態となっている。したがって、かかる状態から扉を開放させるには弾性回転体が車輪を乗り越える力が必要となるだけでなく、扉を静止状態から始動させるため扉の自重も作用し、さらに、自閉装置による閉鎖方向への力にも抗する必要があることから、初動開放が重くなってしまうという不具合があった。
【０００５】
【発明が解決しようとする課題】
本発明は、かかる不具合を解消するべく創案されたものであって、開口部全閉時から開口部を開放する際の扉の初動開放をスム−ズに行うことを目的とするものである。
【０００６】
【課題を解決するための手段】
上記課題を解決するために本発明が採用した技術手段は、扉の上端部の吊持部に装着したハンガ−ロ−ラ−が建物開口部の上方に設けたハンガ−レ−ルを転動して建物開口部を開閉するようにした引戸において、前記吊持部の少なくとも一つには前記ロ−ラ−の上方に位置して扉の開閉方向に揺動する揺動体を設け、前記揺動体には常時外周面を前記ロ−ラ−の外周面に摺接してなる弾性回転体を設け、前記ロ−ラ−の上方に所定間隔を存して定置部材を設けてロ−ラ−と定置部材との間に弾性回転体を挾持して扉を停止させるに、前記揺動体には上方に延出する案内棒を設け、開口部上方の所望部位には前記案内棒を案内する案内面を突設し、扉の開口部全閉状態からの移動開放に際し、前記案内棒が案内面に当接して揺動体を強制的に戸先側に揺動させ、弾性回転体の外周面をロ−ラ−の外周面より離隔させるようにしたことを特徴とするものである。揺動体が戸先側に位置する吊持部に装着された場合には、案内面は開口部上方の戸先側に近接した部位に設けられ、揺動体が戸尻側に位置する吊持部に装着された場合には、案内面は開口部上方の戸尻側に近接した部位に設けられる。
【０００７】
こうすることで、扉の初動開放時には、ハンガ−ロ−ラ−を動かす力のみが必要となり、初動開放力を低減することができる。また、停止装置をコンパクトに納めるには、揺動体の揺動支持軸と定置部材とを兼用させるのがよい。
【０００８】
【発明の実施の形態】
図１は引戸の上方部位の正面図であって、引戸の扉１の上端に装着した吊持部２にはハンガ−ロ−ラ−３が回転自在に枢着されており、ハンガ−ロ−ラ−３が建物開口部の上方に設けたハンガ−レ−ル４上を転動することで扉１を移動させて建物開口部を開閉するようにしている。吊持部２は例えば、所定間隔を存して二つ設けるが、その個数は限定されない。参照符号５は引戸の戸先側上方の開口部上枠に設けた自閉装置であって、自閉装置５には図示しないぜんまいばねが内装されており、ぜんまいばねと吊持部２とを図示しないワイヤ−で連結することで、扉１を閉鎖方向に付勢している。
【０００９】
吊持部２は鉛直に立設した平板状の装着部２ａを有し、装着部２ａにはハンガ−ロ−ラ−３が回転自在に枢着されている。装着部２ａにはロ−ラ−３の上方に位置して、支持軸６が設けてあり、支持軸６には略扇形をした平板状の揺動体７が支持軸６を揺動支点として扉１の開閉方向に揺動自在に垂下されている。揺動体７は、少なくとも一つの吊持部２に装着されていればよく、図１では二つある吊持部２の内、戸先側に位置する吊持部２に設けたものを示している。
【００１０】
揺動体７の揺動支点、すなわち支持軸６は正面視においてロ−ラ−３の中心を通る鉛直線上に位置しており、揺動体７は前記鉛直線を中心として扉１の開閉方向に振子状に揺動するようになっている。揺動体７には弾性回転体８が回転自在に装着されており、弾性回転体８の外周面はロ−ラ−３の外周面に常時接触している。実施例では弾性回転体８はウレタンゴムで形成されているが、弾性回転体８の材質はこれに限定されるものではなく、要は、圧縮により変形可能であればよく、公知の材料から好適に選択される。尚、弾性回転体８は、このように変形可能であるので、後述する圧縮用定置部材なしでも、ある程度の停止機能を有するものである。
【００１１】
支持軸６には円筒状の圧縮用定置部材９が外嵌されており、定置部材９の外周面には弾性回転体８の外周面が常時当接している。尚、支持軸６の径を大きくして支持軸６自体を定置部材９としてもよい。定置部材９とハンガ−ロ−ラ−３との鉛直方向の間隔は、弾性回転体８の直径よりも一寸小さい寸法を有しており、定置部材９とハンガ−ロ−ラ−３との間に弾性回転体８が挾持されることで、ハンガ−ロ−ラ−３の回転を停止させるようにしている。すなわち、定置部材９とハンガ−ロ−ラ−３との間に挾持される弾性回転体８の圧縮量が停止状態の保持力を決定する。
【００１２】
尚、実施例では、揺動体７の支持軸６に定置部材９を外嵌したものを示したが、揺動体７を長尺状に形成したような場合には、定置部材９の装着位置はこれに限定されるものではなく、要は、定置部材９は、ロ−ラ−３と支持軸６の中心を通る鉛直線上に位置し、かつロ−ラ−３との間隔が弾性回転体８の直径より一寸小さいようなものであればよい。もっとも、停止装置をコンパクトに納めるには、支持軸６と定置部材９とを兼用させるのがよい。
【００１３】
図１に示すように、揺動体７には上方に延出する案内棒１０が装着されており、案内棒１０の延出端部にはロ−ラ−１１が回転自在に枢着されている。一方、建物開口部上枠の上壁の戸先側に近接する部位には、扉１の開閉方向に所定長さ（例えば１０ｃｍ程度）延出する案内面１２が下方に突設されている。案内面１２の戸尻側端部は湾曲面に形成されており、案内棒１０の先端のロ−ラ−１１の乗り上げ時の衝撃を緩和するようにしている。
【００１４】
したがって、図１のＡ、Ｂの状態に示すように、扉１の閉じ際で、案内棒１０の先端のロ−ラ−１１が案内面１２に当接することにより、揺動体７を戸先側に強制的に揺動させ、弾性回転体８の外周面をハンガ−ロ−ラ−３の外周面から離隔させるようにしてあり、開口部全閉時には、ハンガ−ロ−ラ−３と弾性回転体８との間には隙間１３が生じるようになっている。尚、案内棒１０は、通常は建物開口部の上壁には当接しないような長さに設計されており、初動開放後はフリ−な状態となって、扉１の移動あるいは停止を妨げることはない。
【００１５】
上述のように、戸先側に位置する吊持部２に揺動体７を設けたものについて説明してきたが、揺動体７は戸尻側に位置する吊持部２に設けてもよい。図３は、それを示すものであって、扉１を吊持する吊持部２の内、戸尻側に位置する吊持部２に揺動体７が装着されており、揺動体７には、案内棒１０が装着されている。このものでは、建物開口部上枠の上壁の戸尻側に近接する部位に、案内面１２が下方に突設されており、扉１の閉じ際で、案内棒１０の先端のロ−ラ−１１が案内面１２に当接することにより、揺動体７を戸先側に強制的に揺動させ、弾性回転体８の外周面をハンガ−ロ−ラ−３の外周面から離隔させるようにしてある。尚、図中符号１４は戸袋を示している。
【００１６】
このように構成された引戸の停止装置の作用について図４に基いて説明する。図４（ａ）において、扉１を矢印Ｒ方向に動かすと、ハンガ−ロ−ラ−３は矢印Ａ方向に回転し、それに伴って、弾性回転体８は矢印Ｂ方向へ回転する。弾性回転体８は支持軸６を中心に矢印Ｘ方向へ押し出されるので、ハンガ−ロ−ラ−３は弾性回転体８に妨げられることなく扉１は移動する。
【００１７】
このような状態から、図４（ｂ）に示すように、扉１を矢印Ｌ方向へ動かすと、ハンガ−ロ−ラ−３は矢印Ｃ方向へ回転し、これに伴い弾性回転体８は矢印Ｄ方向へ回転する。弾性回転体８は支持軸６を中心として矢印Ｙ方向へ揺動しようとするが、ハンガ−ロ−ラ−３と定置部材９との間に圧縮されながら挾持されて、くさび状態になり止まってしまう。この状態が停止状態である。
【００１８】
すなわち、扉１を停止させたい場合には、停止前の走行方向と反対方向に扉１を若干走行させることにより、あるいは自閉装置を有するものにおいては、単に手を離すことにより扉１が反対方向に若干戻って、弾性回転体８が圧縮されながらハンガ−ロ−ラ−３と定置部材９との間に噛み込まれて扉１の停止状態を維持する。この状態から、扉１を矢印Ｒ方向へ動かせば、扉１は再びスム−ズに移動するし、一方、より大きな力を作用させて扉１を矢印Ｌ方向へ動かすと、弾性回転体８は定置部材９とハンガ−ロ−ラ−３との間で圧縮されながらハンガ−ロ−ラ−３を乗り越え、図４（ｃ）の状態となって停止状態が解除される。
【００１９】
同様に、図４（ｃ）において、扉１を矢印Ｌ方向に動かすと、ハンガ−ロ−ラ−３は矢印Ｃ方向に回転し、それに伴って、弾性回転体８は矢印Ｄ方向へ回転する。弾性回転体８は支持軸６を中心に矢印Ｙ方向へ押し出されるので抵抗なく扉１は移動する。図４（ｄ）において、扉１を矢印Ｒ方向へ動かすと、ハンガ−ロ−ラ−３は矢印Ａ方向へ回転し、これに伴い弾性回転体８は矢印Ｂ方向へ回転する。弾性回転体８は支持軸６を中心として矢印Ｘ方向へ揺動しようとするが、ハンガ−ロ−ラ−３と定置部材９との間に挾持されて、扉１の移動を停止させる。
【００２０】
建物開口部の全閉時には、揺動体７は戸先側に振られ、弾性回転体８は開放方向に向かってハンガ−ロ−ラ−３に当接した状態となっている。したがって、建物開口部の全閉時から扉１を開放するには、図４（ｂ）の状態から（ｃ）の状態へ移行するのと同様に、弾性回転体８を圧縮させてハンガ−ロ−ラ−３を乗り越えさせる必要がある。
【００２１】
本発明では、開口部閉鎖際に、揺動体７に取り付けた案内棒１０の先端のロ−ラ−１１が建物開口上枠の上壁に突設してなる案内面１２に当接してガイドされ揺動体７を戸先側に強制的に揺動させているので、開口部全閉時には弾性回転体８の外周面はハンガ−ロ−ラ−３の外周面より離隔されて浮いた形となる。したがって、扉１の初動開放はハンガ−ロ−ラ−３を動かす力だけで行うことができ、初動開放に必要な力を低減させることができる。開口部を少し開放した地点で案内棒１０によるガイドがなくなるが、この時点では既に開放方向の慣性力が働いており、弾性回転体８は容易にハンガ−ロ−ラ−３を乗り越えることができる。
【００２２】
【発明の効果】
本願発明は、扉の上端部の吊持部に装着したハンガ−ロ−ラ−が建物開口部の上方に設けたハンガ−レ−ルを転動して建物開口部を開閉するようにした引戸において、前記吊持部の少なくとも一つには前記ロ−ラ−の上方に位置して扉の開閉方向に揺動する揺動体を設け、前記揺動体には常時外周面を前記ロ−ラ−の外周面に摺接してなる弾性回転体を設け、前記ロ−ラ−の上方に所定間隔を存して定置部材を設けてロ−ラ−と定置部材との間に弾性回転体を挾持して扉を停止させるに、前記揺動体には上方に延出する案内棒を設け、開口部上方の所望部位には前記案内棒を案内する案内面を突設し、扉の開口部全閉状態からの移動開放に際し、前記案内棒が案内面に当接して揺動体を強制的に戸先側に揺動させ、弾性回転体の外周面をロ−ラ−の外周面より離隔させるようにしたことを特徴としたので、開口部全閉時には弾性回転体の外周面はハンガ−ロ−ラ−の外周面から浮いたフリ−な状態となり、ハンガ−ロ−ラ−を動かすだけの力で初動開放を行うことができる。
【図面の簡単な説明】
【図１】本発明に係る引戸の上方部位を示す概略正面図である。
【図２】（ａ）は吊持部の概略正面図、（ｂ）は吊持部の概略側面図であって、案内棒は省略されている。
【図３】引戸の概略正面図であって、戸尻側の吊持部に揺動体を設けたものを示している。
【図４】（ａ）乃至（ｄ）は、停止装置の作用説明図である。
【符号の説明】
１    扉
２    吊持部
３    ハンガ−ロ−ラ−
４    ハンガ−レ−ル
６    支持軸
７    揺動体
８    弾性回転体
９    定置部材
１０  案内棒
１２  案内面
【図１】
0003584383.tif 000002
【図２】
0003584383.tif 000003
【図３】
0003584383.tif 000004
【図４】
0003584383.tif 000005